(57)【要約】【課題】コンテンツの不正使用を極めて確実に阻止し得る磁気記録媒体および磁気記録装置の提供を目的とする。【解決手段】磁気記録装置１に含まれる磁気ディスク１０は、基板１１上に磁性層１２を有し、磁性層１２に各種情報を記録可能なものであり、所定条件下で瞬間的に爆発して衝撃波を発生可能な衝撃発生層１４を備えている。【選択図】　　　　図２
2004046939.tif 000002
【特許請求の範囲】
【請求項１】
基板上に磁性層を有し、前記磁性層に各種情報を記録可能な磁気記録媒体において、
所定条件下で瞬間的に爆発して衝撃波を発生可能な衝撃発生層を備えることを特徴とする磁気記録媒体。
【請求項２】
前記衝撃発生層の瞬間的な爆発により、前記基板を変形させ得ることを特徴とする請求項１に記載の磁気記録媒体。
【請求項３】
前記衝撃発生層の瞬間的な爆発に伴う熱によって、前記磁性層を消磁させ得ることを特徴とする請求項１または２に記載の磁気記録媒体。
【請求項４】
前記衝撃発生層は、給電されると発熱するヒータ層と、所定温度で着火する着火層と、引火すると爆発して高温・高圧のガスを発生するガス発生剤層とを含むことを特徴とする請求項１から３の何れか一項に記載の磁気記録媒体。
【請求項５】
基板上に磁性層を有する磁気記録媒体を含み、この磁気記録媒体の前記磁性層に対する各種情報の記録・再生を実行可能な磁気記録装置において、
前記磁気記録媒体が、所定条件下で瞬間的に爆発して衝撃波を発生可能な衝撃発生層を備えることを特徴とする磁気記録装置。
【請求項６】
前記磁気記録媒体の前記衝撃発生層は、給電されると発熱するヒータ層と、所定温度で着火する着火層と、引火すると爆発して高温・高圧のガスを発生するガス発生剤層とを含むことを特徴とする請求項５に記載の磁気記録装置。
【請求項７】
前記磁気記録媒体を収容する筐体と、前記筐体の開封を検知する開封検知センサとを更に備え、前記開封検知センサによって前記筐体の開封が検出された際に、前記磁気記録媒体の前記ヒータ層に対する給電が開始されることを特徴とする請求項６に記載の磁気記録装置。
【請求項８】
前記磁気記録媒体の前記ヒータ層に電力を供給する一次電池または二次電池を更に備えることを特徴とする請求項６または７に記載の磁気記録装置。
【請求項９】
基板上に磁性層を有する磁気記録媒体を含み、この磁気記録媒体の前記磁性層に対する各種情報の記録・再生を実行可能な磁気記録装置において、
所定条件下で瞬間的に爆発して衝撃波を発生可能な衝撃発生手段を備えることを特徴とする磁気記録装置。
【請求項１０】
前記衝撃発生手段は、給電されると発熱するヒータと、所定温度で着火する着火部と、引火すると爆発して高温・高圧のガスを発生するガス発生剤とを含むことを特徴とする請求項９に記載の磁気記録装置。
【請求項１１】
前記磁気記録媒体を収容する筐体と、前記筐体の開封を検知する開封検知センサとを更に備え、前記開封検知センサによって前記筐体の開封が検出された際に、前記衝撃発生手段の前記ヒータに対する給電が開始されることを特徴とする請求項１０に記載の磁気記録装置。
【請求項１２】
前記衝撃発生手段の前記ヒータに電力を供給する一次電池または二次電池を更に備えることを特徴とする請求項１０または１１に記載の磁気記録装置。
【発明の詳細な説明】
【０００１】
【発明の属する技術分野】
本発明は、磁性層を有する磁気記録媒体、および、それを備えた磁気記録装置に関する。
【０００２】
【従来の技術】
現在では、市販されているパソコン等の端末機器に様々なコンテンツが予めインストールされている。また、インターネット等の電気通信回線の普及により、ユーザは、電気通信回線を介して所望のコンテンツを入手（ダウンロード）して、入手したコンテンツを容易に利用できるようになっている。その一方で、様々なコンテンツが容易に幅広く頒布されるようになればなるほど、コンテンツの不正使用を確実に防止して、著作権の保護を強化する必要が生じる。
【０００３】
コンテンツの不正使用を防止するために、従来から、ＩＤ番号やパスワード等を設定することにより、コンテンツの不正使用を制限することが行なわれている。しかしながら、正当な契約者がＩＤ番号やパスワードを第三者に漏洩した場合、当該第三者はそのコンテンツを容易に不正使用できてしまう。このため、コンテンツの不正使用を防止する新たな対策として、コンテンツを記録する記録媒体自体にもＩＤ番号等を埋め込んでおき、埋め込まれたＩＤ番号に基づいてコンテンツの利用を可能にする解除キー（コンテンツキー）を取得または作成することにより、コンテンツの利用を許容するシステムが提案されている。
【０００４】
【発明が解決しようとする課題】
しかしながら、専門の知識や技術をもつ者にとって、ハードディスク装置等を分解して記録媒体の記録内容を磁気ヘッドにより読み取り、信号処理を施してＩＤを盗用することは、さほど困難なことではない。従って、上述のようなコンテンツの不正使用防止システムを利用したとしても、コンテンツの不正使用を完全に防止することは困難である。このため、コンテンツを供給する者の権利を保護しつつ、インターネット等を介したコンテンツ配信等の普及を図る上で、コンテンツの不正使用をより一層確実に阻止し得る対策を講じる必要がある。
【０００５】
そこで、本発明は、コンテンツの不正使用を極めて確実に阻止し得る磁気記録媒体および磁気記録装置の提供を目的とする。
【０００６】
【課題を解決するための手段】
本発明による磁気記録媒体は、基板と、基板上の磁性層とを有するものであり、磁性層には、様々なコンテンツや、コンテンツを利用するために必要なＩＤといった各種情報を記録することができる。ここで、このような磁気記録媒体の磁性層の表面は極めて平滑に形成され、磁性層に対する記録・再生が行なわれる際、磁気ヘッドと磁性層の表面との間のギャップは、およそ数ｎｍ程度に維持される。従って、仮に、磁性層の平面度や表面粗さが記録・再生のための条件を満たしていなければ、磁気ヘッドと磁気記録媒体とが衝突してしまい、磁性層から情報を読み取ることが困難となる。
【０００７】
このような点に鑑みて、この磁気記録媒体には、所定条件下で瞬間的に爆発して衝撃波を発生可能な衝撃発生層が備えられている。これにより、例えば、磁気記録媒体の磁性層に記録されているＩＤ等が不正に読み出されそうになった際に、衝撃発生層を爆発させ、その爆発に伴う衝撃波によって磁性層の平面度や表面粗さを劣化させることにより、磁性層に記録されているコンテンツおよびＩＤ等の所望の一部またはすべてを読取不能にすることができる。従って、この磁気記録媒体を用いれば、コンテンツの不正使用を極めて確実に阻止することが可能となる。
【０００８】
この場合、衝撃発生層の瞬間的な爆発により、基板を変形させ得ると好ましい。これにより、磁性層の平面度や表面粗さを確実に劣化させることができる。
【０００９】
また、一般に、磁性層が昇温し、磁性層温度がキュリー温度に達すると、磁性層に記録された磁気情報は消滅する。従って、衝撃発生層の瞬間的な爆発に伴う熱によって磁性層を消磁させ得ると好ましい。これにより、磁性層に記録されているコンテンツおよびＩＤ等の所望の一部またはすべてが消去されるので、これらの情報を確実に読取不能にすることができる。
【００１０】
更に、衝撃発生層は、給電されると発熱するヒータ層と、所定温度で着火する着火層と、引火すると爆発して高温・高圧のガスを発生するガス発生剤層とを含むと好ましい。
【００１１】
本発明による磁気記録装置は、基板上に磁性層を有する磁気記録媒体を含み、この磁気記録媒体の磁性層に対する各種情報の記録・再生を実行可能な磁気記録装置において、磁気記録媒体が、所定条件下で瞬間的に爆発して衝撃波を発生可能な衝撃発生層を備えることを特徴とする。
【００１２】
この場合、磁気記録媒体の衝撃発生層は、給電されると発熱するヒータ層と、所定温度で着火する着火層と、引火すると爆発して高温・高圧のガスを発生するガス発生剤層とを含むと好ましい。
【００１３】
また、磁気記録媒体を収容する筐体と、筐体の開封を検知する開封検知センサとを更に備え、開封検知センサによって筐体の開封が検出された際に、磁気記録媒体のヒータ層に対する給電が開始されると好ましい。
【００１４】
このような構成のもとでは、専門の知識や技術をもつ者等が、磁気記録媒体の記録内容を読み取るために磁気記録装置を分解しようとしても、筐体を少しでも開封した段階で磁気記録媒体のヒータ層による加熱が開始されて着火層が着火し、引火したガス発生剤層から高温・高圧のガスが発生される。従って、磁性層に記録されているＩＤ等が不正盗用される前に、衝撃発生層からの高温・高圧のガスにより、磁性層に記録されているコンテンツおよびＩＤ等の所望の一部またはすべてを消去して読取不能にすることが可能となる。
【００１５】
また、磁気記録媒体のヒータ層に電力を供給する一次電池または二次電池を更に備えると好ましい。
【００１６】
本発明による他の磁気記録装置は、基板上に磁性層を有する磁気記録媒体を含み、この磁気記録媒体の磁性層に対する各種情報の記録・再生を実行可能な磁気記録装置において、所定条件下で瞬間的に爆発して衝撃波を発生可能な衝撃発生手段を備えることを特徴とする。
【００１７】
この場合、衝撃発生手段は、給電されると発熱するヒータと、所定温度で着火する着火部と、引火すると爆発して高温・高圧のガスを発生するガス発生剤とを含むと好ましい。
【００１８】
また、磁気記録媒体を収容する筐体と、筐体の開封を検知する開封検知センサとを更に備え、開封検知センサによって筐体の開封が検出された際に、衝撃発生手段のヒータに対する給電が開始されると好ましい。
【００１９】
更に、衝撃発生手段のヒータに電力を供給する一次電池または二次電池を更に備えると好ましい。
【００２０】
【発明の実施の形態】
以下、図面と共に本発明による磁気記録媒体および磁気記録装置の好適な実施形態について詳細に説明する。
【００２１】
図１は、本発明による磁気記録装置を示す概略構成図である。同図に示される磁気記録装置１は、コンピュータ用外部記憶装置（ハードディスク装置）を始めとして、各種用途に適用可能なものである。同図に示されるように、磁気記録装置１は、筐体２を有しており、筐体２の内部には、磁気ディスク（磁気記録媒体）１０が収容されている。磁気ディスク１０は、スピンドルモータ３の回転軸３ａに取り付けられており、スピンドルモータ３によって所望速度で回転駆動される。
【００２２】
また、筐体２の内部には、磁気ディスク１０に対する情報の読取／書込を行う磁気ヘッド（スライダ）４、および、その先端に磁気ヘッド４を支持するヘッドアーム（サスペンション）５が配置されている。ヘッドアーム５は、ボイスコイルモータ（アクチュエータ）６によって旋回移動させられ、これにより、磁気ヘッド４は、磁気ディスク１０の所望のトラック上に位置決めされる。更に、筐体２の内部には、磁気ヘッド４による読取／書込、スピンドルモータ３の動作、および、ボイスコイルモータ６の動作等を制御する制御回路等が実装された回路基板７が配置されている。また、筐体２内の磁気ディスク１０の側方には、ディスク回転停止時に、磁気ヘッド４を待避させるためのランプ（図示省略）等が配置されている。
【００２３】
図２は、上述の磁気記録装置１に含まれる磁気ディスク１０を示す断面図である。同図に示されるように、磁気ディスク１０は、アルミ、ガラス、あるいは、プラスチック等の樹脂等からなる円盤状の基板１１を含む。基板１１の表面（図２における上面）のほぼ全体には、様々なコンテンツやコンテンツを利用するために必要なＩＤといった各種情報を記録させることができる磁性層１２が環状に形成されている。更に、磁性層１２の上には、スピンコータによって潤滑層（図示省略）が形成される。
【００２４】
更に、磁気ディスク１０は、磁性層１２が形成されている面と反対側の面に、環状の衝撃発生層１４を含む。この衝撃発生層１４は、自動車のエアバック用インフレータに類似する構成を有しており、所定条件下で瞬間的に爆発して衝撃波を発生可能なものである。すなわち、図２に示されるように、衝撃発生層１４には、基板１１側から順番に、絶縁層１５、ヒータ層１６、着火層１７、ガス発生剤層１８および透湿フィルム１９が含まれる。
【００２５】
絶縁層１５は、ＳｉＯ２等の酸化物からなり、基板１１の磁性層１２が形成されている面と反対側の面に積層される。ヒータ層１６は、給電されると発熱する材料であるニッケル・クロムやタングステン等からなる。このヒータ層１６は、０．１ｍＡ程度の電流が数ｍＳ流れるとおよそ２００℃に達するものである。ヒータ層１６には、回路基板７等を介して電源８（図１参照）からの電流を印加することができる。なお、電源８としては、一次電池が用いられてもよく、二次電池が用いられてもよい。また、着火層１７は、例えば、赤リン、硫黄、マグネシウム粉等からなり、例えばおよそ２００℃という比較的低温のもとで着火する。そして、ガス発生剤層１８は、例えば、アジ化ナトリウム等からなり、着火層１７により着火されると、高温・高圧のガスを発生させる。
【００２６】
ここで、着火層１７やガス発生剤層１８を構成する材料として微細な粉状体が用いられる場合、これらの粉状体が、磁気ヘッド４と磁性層１２との間の微小なギャップに入り込んで記録・再生に悪影響を及ぼしてしまうおそれがある。このために、本実施形態では、絶縁層１５、ヒータ層１６、着火層１７およびガス発生剤層１８は、透湿フィルム１９に覆われた状態で基板１１に装着されている。
【００２７】
透湿フィルム１９は、多数の微細な孔を有するものであり、微細な粉塵や水分の透過を規制する一方、空気等の気体の通過を許容するものである。すなわち、好適な透湿フイルム１８の一つ孔の大きさは、水滴のおよそ２万分の１程度である一方、水蒸気の分子のおよそ７００倍程度である。これにより、微細な粉塵等の飛散を防止することが可能となる。このような透湿フィルム１９としては、例えば、１ｃｍ２あたり約１４億個もの微細な孔を有するゴアテックス（商標）メンブレン等を採用することができる。
【００２８】
更に、磁気記録装置１には、筐体２の開封を検知する開封検知センサ９（図１参照）が更に備えられている。開封検知センサ９は、回路基板７に接続されており、筐体２が開封されたことを検知すると、開封検知信号を回路基板７に組み込まれている所定のスイッチング回路に与える。そして、磁気記録装置１では、当該スイッチング回路が開封検知センサ９から開封検知信号を受け取った段階で、磁気ディスク１０のヒータ層１６に対する電源８からの給電が許容される。
【００２９】
ここで、開封検知センサ９としては、圧力センサ、酸素センサ、衝撃センサ等を用いることができる。開封検知センサ９として圧力センサが用いられる場合、密閉構造を有する筐体２が採用される。そして、筐体２の内部圧力は、常圧（大気圧）よりも十分に高圧または低圧に設定される。この場合、開封検知センサ９は、筐体２の内部圧力が設定圧力となっているか否かをモニタし、筐体２の内部圧力が常圧に変化した段階で回路基板７に組み込まれているスイッチング回路に開封検知信号を与える。
【００３０】
また、開封検知センサ９として酸素センサが用いられる場合も、密閉構造を有する筐体２が採用される。そして、筐体２の内気は、例えばアルゴン等の不活性ガスにより置換され、筐体２の内部は、酸素が存在しない状態に維持される。開封検知センサ９は、筐体２の内部の酸素量をモニタし、筐体２の内部に所定量以上の酸素が存在するようになった段階で回路基板７に組み込まれているスイッチング回路に開封検知信号を与える。開封検知センサ９として衝撃センサが用いられる場合、開封検知センサ９は、筐体２に生じる振動をモニタし、筐体２に機械加工等によって特異振動が生じた段階で回路基板７に組み込まれているスイッチング回路に開封検知信号を与える。
【００３１】
さて、上述のように構成されている本発明による磁気記録装置１では、磁気ディスク１０の磁性層１２に、様々なコンテンツや、コンテンツを利用するために必要なＩＤといった各種情報を記録することができる。そして、かかる磁気ディスク１０の磁性層１２に対する記録・再生を良好に行なうために、磁性層１２の表面は極めて平滑に形成され、磁性層１２に対する記録・再生が行なわれる際、磁気ヘッド４と磁性層１２の表面との間のギャップは、およそ数ｎｍ程度に維持される。従って、仮に、磁性層１２の平面度や表面粗さが記録・再生のための条件を満たしていなければ、磁気ヘッド４と磁気ディスク１０とが衝突してしまい、磁性層１２から情報を読み取ることが困難となる。
【００３２】
また、磁性層１２に対する磁気記録は、次のような磁性体の性質を利用して行われる。すなわち、磁気記録のために磁性層１２（強磁性体）に磁場Ｈを加えると、磁性層１２の磁区のうち、加えられた磁場Ｈと同方向に磁化している複数の磁区が、それらの間に位置する磁壁Ｗを追いやるようにして増加し、磁壁Ｗが消滅した段階で一体の磁区を形成する（図３および図４参照）。このような飽和磁化状態では、磁場が取り除かれても、追いやられた磁壁は磁場を加える前の位置に戻ることはない。
【００３３】
一方、図５からわかるように、磁性層１２が昇温し、磁性層温度がキュリー温度Θｆに達すると、磁性層１２から磁性体としての性質が失われ、磁性層１２に記録された磁気情報は消滅することになる。一般に、磁気ディスク１０の磁性層１２として使用される希土類−鉄アモルファス薄膜（Ｃｇ−Ｆｅ，Ｔｈ−Ｆｅ，Ｄｙ−Ｆｅ，Ｈｏ−Ｆｅ等）では、組成に依存するが、キュリー温度Θｆは、およそ１００〜６００℃の範囲にある。
【００３４】
上述の磁気記録・再生動作および磁性体の性質に鑑みて、磁気記録装置１に含まれる磁気ディスク１０には、所定条件下で瞬間的に爆発して衝撃波を発生可能な衝撃発生層１４が備えられている。これにより、例えば、磁気ディスク１０の磁性層１２に記録されているＩＤ等が不正に読み出されそうになった際に、衝撃発生層１４を爆発させ、その爆発に伴う衝撃波によって磁性層１２の平面度や表面粗さを劣化させることにより、磁性層１２に記録されているコンテンツおよびＩＤ等の所望の一部またはすべてを読取不能にすることができる。
【００３５】
本実施形態において、衝撃発生層１４を構成するガス発生剤は、その瞬間的な爆発によって基板１１を変形させる程度の衝撃波を発生するものが選択される。このように、衝撃発生層１４の瞬間的な爆発によって磁気ディスク１０の基板１１自体を変形させれば、磁性層１２の平面度や表面粗さを確実に劣化させることができる。
【００３６】
また、本実施形態において、衝撃発生層１４は、その瞬間的な爆発により発生されるガスの熱によって、磁性層１２をそのキュリー温度Θｆまで昇温させることができるように構成される。これにより、磁性層１２に記録されているコンテンツおよびＩＤ等の所望の一部またはすべてが消去されるので、これらの情報を確実に読取不能にすることができる。この結果、磁気ディスク１０を含む磁気記録装置１によれば、コンテンツの不正使用を極めて確実に阻止することが可能となる。
【００３７】
衝撃発生層１４の動作について更に説明すると、専門の知識や技術をもつ者等が、磁気ディスク１０の記録内容（コンテンツ自体あるいはＩＤ等）を読み取るために磁気記録装置１の筐体２を少しでも開封した場合、上述の開封検知センサ９により、筐体２が開封された旨が直ちに検知され、開封検知信号が回路基板７のスイッチング回路に与えられる。
【００３８】
開封検知センサ９から開封検知信号が発せられると、直ちに、電源８から回路基板７等を介して磁気ディスク１０の衝撃発生層１４を構成するヒータ層１６に電流が供給される。そして、ヒータ層１６に電流が供給されると、ヒータ層１６は、直ちに所定温度まで昇温し、ヒータ層１６が発する熱によって着火層１７が着火する。更に、着火層１７によりガス発生剤層１８が着火されると、ガス発生剤層１８が爆発し、それにより、衝撃発生層１４から高温・高圧のガスが基板１１および磁性層１２に向けて発せられることになる。
【００３９】
なお、磁性層１２（磁気ディスク１０）の温度がキュリー温度Θｆに達していない場合であっても、磁化が弱まって磁気ヘッド等からの再生信号のＳ／Ｎ比が十分に得られない状態になれば、コンテンツやＩＤ等はその価値を失うことになる。従って、衝撃発生層１４から発せられるガスは、磁気ヘッド等からの再生信号のＳ／Ｎ比が十分に得られない程度にまで磁性層１２の磁化を弱める熱を有していればよい。
【００４０】
図６は、本発明による磁気記録装置の他の実施形態を示す概略構成図である。なお、先の実施形態に関して説明されたものと同一の要素については、同一の符号が付され、重複する説明は省略される。
【００４１】
図６に示されるように、磁気記録装置１Ａの磁気ディスク１０Ａには、衝撃発生層が形成されてはおらず、その代わりに、先の実施形態の磁気ディスク１０に設けられていた衝撃発生層１４と概ね同様の構成を有する複数（本実施形態では、２体）の衝撃発生体２０が備えられている。各衝撃発生体２０は、磁気ディスク１０の磁性層１２の上方に位置すると共に、それぞれの下面が磁性層１２と対向するように筐体２の内部の所定位置（図６の例では、回路基板７の下面）に固定される。なお、衝撃発生体２０の個数、取付位置等は、任意に定めることができる。
【００４２】
図７に示されるように、衝撃発生体２０は、筐体２１を有する。筐体２１の内部には、着火剤２２とガス発生剤２３とが互いに接触し合う状態で収容されている。また、着火剤２２に対しては、ヒータ２４が設けられている。ヒータ２４の給電端子は、筐体２１の外部に引き出されており、回路基板７等を介して電源８に接続されている。更に、筐体２１の下面には、フィルタ２５が取り付けられている。フィルタ２５は、ガス発生剤２３により発せられる高温・高圧ガスの通過を許容する一方、粉状体であるガス発生剤２３等が筐体２１の外部に飛散してしまうことを防止する。
【００４３】
このように構成される磁気記録装置１Ａでは、筐体２が少しでも開封されると、開封検知センサ９により、筐体２が開封された旨が直ちに検知され、開封検知信号が回路基板のスイッチング回路に与えられる。開封検知センサ９から開封検知信号が発せられると、直ちに、電源８から回路基板７等を介して各衝撃発生体２０のヒータ２４に電流が供給される。ヒータ２４に電流が供給されると、ヒータ２４は、直ちに所定温度まで昇温し、ヒータ２４が発する熱によって着火剤２２が着火する。更に、着火剤２２によりガス発生剤２３が着火されると、ガス発生剤２３が爆発し、それにより、フィルタ２５から高温・高圧のガスが磁性層１２に向けて発せられることになる。
【００４４】
このように構成される磁気記録装置１Ａによっても、磁気ディスク１０Ａの磁性層１２に記録されているＩＤ等が不正盗用される前に、衝撃発生体２０を爆発させ、その爆発に伴う衝撃波によって磁性層１２の平面度や表面粗さを劣化させることができる。また、衝撃発生体２０の瞬間的な爆発により発生されるガスの熱によって、磁性層１２は、そのキュリー温度Θｆまで昇温させられる。この結果、磁性層１２に記録されているコンテンツおよびＩＤ等の所望の一部またはすべてを確実に読取不能にすることが可能となり、コンテンツの不正使用を極めて確実に阻止することができる。
【００４５】
【発明の効果】
以上説明されたように、本発明によれば、コンテンツの不正使用を極めて確実に阻止し得る磁気記録媒体および磁気記録装置の実現が可能となる。
【図面の簡単な説明】
【図１】本発明による磁気記録装置を示す概略構成図である。
【図２】図１の磁気記録装置に含まれる磁気ディスクを示す断面図である。
【図３】磁性体における基本的な磁区の状態を例示する模式図である。
【図４】磁性体に外部磁場を加えた際の磁区の状態を例示する模式図である。
【図５】磁性体の温度と飽和磁化との関係を示す図表である。
【図６】本発明による磁気記録装置の他の実施形態を示す概略構成図である。
【図７】図６の磁気記録装置に含まれる衝撃発生体を示す概略構成図である。
【符号の説明】
１，１Ａ　磁気記録装置
２　筐体
３　スピンドルモータ
４　磁気ヘッド
５　ヘッドアーム
６　ボイスコイルモータ
７　回路基板
８　電源
９　開封検知センサ
１０，１０Ａ　磁気ディスク
１１　基板
１２　磁性層
１４　衝撃発生層
１５　絶縁層
１６　ヒータ層
１７　着火層
１８　ガス発生剤層
１９　透湿フィルム
２０　衝撃発生体
２１　筐体
２２　着火剤
２３　ガス発生剤
２４　ヒータ
２５　フィルタ
【図１】
2004046939.tif 000003
【図２】
2004046939.tif 000004
【図３】
2004046939.tif 000005
【図４】
2004046939.tif 000006
【図５】
2004046939.tif 000007
【図６】
2004046939.tif 000008
【図７】
2004046939.tif 000009